(57)【要約】【課題】使用状態においても非使用状態においても、保管場所等の空間を有効に利用することができる支持台を提供する。【解決手段】仮想長方形の４隅に立設する支柱１と、その４辺を構成するよう支柱１同士を連結する連結フレーム２と、連結フレーム２よりも上方において仮想長方形の短辺を構成するよう支柱１同士を連結して構成されロール体の芯材の左右両端部を支持固定する支持フレーム３とを備え、支持フレーム３を備えた２本１組の支柱１が、途中の回動部１０から上方の部分１ａが回動部１０を中心に起立・内向き倒伏自在に構成され、上方の部分１ａが起立状態でも内向き倒伏状態でも、他の支持台を積重できるようになっている。【選択図】図１
2006137493.tif 000002
【特許請求の範囲】
【請求項１】
ポリビニルアルコール系フィルムを芯材に巻装してなるロール体を、その芯材の左右両端部で支持し、その支持状態で、もしくはそれ自体を折り畳んだ状態で、複数個が積重可能な支持台であって、仮想長方形の４隅に立設する４本の支柱と、上記仮想長方形の４辺を構成するよう上記支柱同士を連結する４本の連結フレームと、これら連結フレームよりも上方において上記仮想長方形の短辺を構成するよう上記支柱同士を連結して構成され上記芯材の左右両端部を支持固定する左右一対の支持フレームとを備え、上記各支柱の高さ寸法がロール体の直径よりも大きく設定され、上記支持フレームを備えた２本１組の支柱が、途中の回動部から上方の部分がその回動部を中心に起立・内向き倒伏自在に構成され、上記回動部の形成位置は上記連結フレームと支持フレームとの間の高さ位置に位置決めされ、上記上方の部分の起立時にその頂部が、この上に積重される他の支持台の支柱の下端部と嵌合して支受する支受部に形成され、上記上方の部分の内向き倒伏による折り畳み時にその回動部が、この上に積重される他の支持台の支柱の下端部と嵌合して支受する支受部に形成されていることを特徴とする支持台。
【請求項２】
上記支持フレームに、上記芯材の左右両端部を上方から嵌入できるＵ字状部が形成され、そのＵ字状部の上部開口を開閉自在にする開閉部材が設けられている請求項１記載の支持台。
【請求項３】
上記支持フレームに、上記芯材の左右両端面が当接するストッパーが設けられている請求項１または２記載の支持台。
【請求項４】
対向し合う上記連結フレームの間に補強フレームが設けられ、その補強フレーム上に、上記芯材を載置する載置部材が設けられている請求項１〜３のいずれか一項に記載の支持台。
【請求項５】
上記仮想長方形の短辺を構成する連結フレーム内およびそれらの間の補強フレーム内に、上記芯材を載置する載置部が形成されている請求項１〜３のいずれか一項に記載の支持台。
【請求項６】
上記仮想長方形の長辺において隣り合う支柱の上方の部分同士が、連結棒で着脱自在に連結されるようになっている請求項１〜５のいずれか一項に記載の支持台。
【請求項７】
上記仮想長方形の長辺の長さが２〜５ｍの範囲、短辺の長さが０．５〜１．５ｍの範囲、上記支柱の上方の部分が起立した状態における支柱の高さが０．５〜１．５ｍの範囲、上記支柱の上方の部分が倒伏した状態における支柱の高さが上記起立状態での支柱の高さの２／３以下に設定されている請求項１〜６のいずれか一項に記載の支持台。
【請求項８】
上記支柱の回動部から下方の部分において、上方の部分の倒伏方向と反対側の部分が、倒伏方向の部分よりも高く形成されている請求項１〜７のいずれか一項に記載の支持台。
【請求項９】
上記仮想長方形の長辺において、連結フレームと支柱の上方の部分とが、支持棒で着脱自在に支持されるようになっている請求項１〜８のいずれか一項に記載の支持台。
【請求項１０】
上記ロール体が、幅２〜５ｍ、長さ３０００〜１５０００ｍの範囲のポリビニルアルコール系フィルムを芯材に巻装してなるものである請求項１〜９のいずれか一項に記載の支持台。
【発明の詳細な説明】
【技術分野】
【０００１】
本発明は、偏光フィルム等の形成材料であるポリビニルアルコール系フィルムを芯材に巻装してなるロール体を、その芯材の左右両端部で支持するために用いる支持台に関するものである。
【背景技術】
【０００２】
液晶ディスプレイには、偏光フィルムが使用されており、その偏光フィルムは、ポリビニルアルコール系フィルムを染色および一軸延伸することにより得られる。そして、そのポリビニルアルコール系フィルムは、一般に、つぎのようにして製造される。すなわち、ポリビニルアルコール系樹脂を溶媒に溶解し、脱泡して原液を調製した後、Ｔ型スリットダイからドラム型ロール外周面にポリビニルアルコール系樹脂水溶液を押し出す。そして、それを上記ドラム型ロール外周面上において流延、製膜し乾燥することにより製造される。その後、上記ドラム型ロールから剥離され、熱処理等の工程を経て、芯材に巻き取られ、ポリビニルアルコール系フィルムのロール体が形成される。
【０００３】
そして、上記偏光フィルムを製造する際には、上記ロール体からポリビニルアルコール系フィルムを繰り出して染色および一軸延伸が行われる。このようにして製造された偏光フィルムは、液晶ディスプレイに使用されるため、光の透過性等の光学的性能の均一性に優れたものが要請されている。
【０００４】
その要請に応えるためには、上記ロール体の保管または輸送等の際に、そのロール体のポリビニルアルコール系フィルムに傷や変形等が生じないようにすることが求められる。すなわち、傷や変形等が生じると、光の透過性にむらができ、光学的性能の均一性に劣るものとなる。
【０００５】
そこで、従来より、上記傷や変形等を防止するための、ロール体の保管または輸送方法が提案されている（例えば、特許文献１参照）。この方法は、上記ロール体の芯材の左右両端部を架台で支持する方法である。すなわち、その架台は、左右両端部に水平なフレーム部が設けられており、上記支持は、その両フレーム部に上記ロール体の芯材の左右両端部を載置することにより行われるようになっている。
【特許文献１】特開２００１−３１５８８６号公報（段落〔００１６〕、図２）
【発明の開示】
【発明が解決しようとする課題】
【０００６】
しかしながら、上記特許文献１における架台は、単にロール体を支持するだけのものであるため、ロール体を支持して保管または輸送等する際（架台の使用状態）の、保管場所等における空間の有効利用について考慮されていない。すなわち、上記特許文献１における架台は、例えば、２段以上積み重ねられるように考慮されていないため、保管場所等では、１段で保管等しなければならず、２段以上積み重ねる場合よりも、保管等できるロール体の数が少なくなる。また、架台を使用しないときの架台自体の保管方法についても考慮されていないため、同様に、その保管状態（架台の非使用状態）の空間利用性が悪く、保管等できる架台の数が少なくなる。
【０００７】
本発明は、このような事情に鑑みなされたもので、使用状態においても非使用状態においても、保管場所等における空間を有効に利用することができる支持台の提供をその目的とする。
【課題を解決するための手段】
【０００８】
上記の目的を達成するため、本発明の支持台は、ポリビニルアルコール系フィルムを芯材に巻装してなるロール体を、その芯材の左右両端部で支持し、その支持状態で、もしくはそれ自体を折り畳んだ状態で、複数個が積重可能な支持台であって、仮想長方形の４隅に立設する４本の支柱と、上記仮想長方形の４辺を構成するよう上記支柱同士を連結する４本の連結フレームと、これら連結フレームよりも上方において上記仮想長方形の短辺を構成するよう上記支柱同士を連結して構成され上記芯材の左右両端部を支持固定する左右一対の支持フレームとを備え、上記各支柱の高さ寸法がロール体の直径よりも大きく設定され、上記支持フレームを備えた２本１組の支柱が、途中の回動部から上方の部分がその回動部を中心に起立・内向き倒伏自在に構成され、上記回動部の形成位置は上記連結フレームと支持フレームとの間の高さ位置に位置決めされ、上記上方の部分の起立時にその頂部が、この上に積重される他の支持台の支柱の下端部と嵌合して支受する支受部に形成され、上記上方の部分の内向き倒伏による折り畳み時にその回動部が、この上に積重される他の支持台の支柱の下端部と嵌合して支受する支受部に形成されているという構成をとる。
【０００９】
すなわち、本発明の支持台でロール体を支持している状態（使用状態）では、支柱の上方の部分が起立状態にされ、その支持フレームでロール体の芯材の左右両端部を支持固定している。そして、本発明の支持台は、支柱の上方の部分の頂点が起立状態でこの上に積重される他の支持台の支柱の下端部と嵌合して支受する支受部に形成され、しかも、上記支柱の高さ寸法がロール体の直径よりも大きく設定されているため、ロール体を支持した状態の支持台を２段以上積み重ねることができ、その状態では、上下のロール体同士を接触させないようにすることができる。一方、本発明の支持台をロール体の支持に使用していない状態（非使用状態）では、支柱の上方の部分が内向き倒伏状態（折り畳み状態）にされ、支持台の高さを低くすることができる。そして、本発明の支持台は、上記回動部が、上記上方の部分の内向き倒伏時に、この上に積重される他の支持台の支柱の下端部と嵌合して支受する支受部に形成されているため、支柱の上方の部分を内向き倒伏状態（折り畳み状態）にした支持台を２段以上積み重ねることができる。
【発明の効果】
【００１０】
このように、本発明の支持台は、使用状態では、支柱の上方の部分を起立状態にして２段以上積み重ねることができ、非使用状態では、支柱の上方の部分を内向き倒伏状態（折り畳み状態）にして２段以上積み重ねることができる。このため、本発明の支持台は、ロール体を支持して保管または輸送等する場合でも、支持台自体を保管等する場合でも、保管場所等の空間を有効に利用することができ、小さい空間で、多くのロール体および支持台自体を保管または輸送等することができる。
【００１１】
特に、上記支持フレームに、上記芯材の左右両端部を上方から嵌入できるＵ字状部が形成され、そのＵ字状部の上部開口を開閉自在にする開閉部材が設けられている場合には、芯材の支持固定がより安定したものとなり、ポリビニルアルコール系フィルムのロール体を確実に保護することができる。特に、上記開閉部材は、輸送時の縦揺れによるロール体の落下を防止することができる。
【００１２】
また、上記支持フレームに、上記芯材の左右両端面が当接するストッパーが設けられている場合には、ロール体を保管または輸送等する際に、ロール体が軸方向にずれて上記Ｕ字状部から脱落することが防止される。
【００１３】
さらに、対向し合う上記連結フレームの間に補強フレームが設けられ、その補強フレーム上に、上記芯材を載置する載置部材が設けられている場合には、支持台自体を保管等する際に、芯材を載置部材に載置することにより、支持台とともに保管等することができる。
【００１４】
また、上記仮想長方形の短辺を構成する連結フレーム内およびそれらの間の補強フレーム内に、上記芯材を載置する載置部が形成されている場合も、支持台自体を保管等する際に、芯材を載置部に載置することにより、支持台とともに保管等することができる。
【００１５】
そして、上記仮想長方形の長辺において隣り合う支柱の上方の部分同士が、連結棒で着脱自在に連結されるようになっている場合には、その連結棒で連結することにより、支柱の上方の部分を内向きまたは外向きに倒伏させないようにして起立状態に保持することができる。そして、上記上方の部分を内向きに倒伏させる際には、上記連結棒による連結を外すことができる。
【００１６】
さらに、上記仮想長方形の長辺の長さが２〜５ｍの範囲、短辺の長さが０．５〜１．５ｍの範囲、上記支柱の上方の部分が起立した状態における支柱の高さが０．５〜１．５ｍの範囲、上記支柱の上方の部分が倒伏した状態における支柱の高さが上記起立状態での支柱の高さの２／３以下に設定されている場合には、長尺のロール体の保管または輸送に有効である。
【００１７】
また、上記支柱の回動部から下方の部分において、上方の部分の倒伏方向と反対側の部分が、倒伏方向の部分よりも高く形成されている場合には、支柱の上方の部分の外向き倒伏を確実に防止することができる。
【００１８】
そして、上記仮想長方形の長辺において、連結フレームと支柱の上方の部分とが、支持棒で着脱自在に支持されるようになっている場合には、その支持棒で支持することにより、支柱の上方の部分を内向きまたは外向きに倒伏させないようにして起立状態に保持することができる。そして、上記上方の部分を内向きに倒伏させる際には、上記支持棒による支持を外すことができる。
【発明を実施するための最良の形態】
【００１９】
つぎに、本発明の実施の形態を図面にもとづいて詳しく説明する。但し、本発明は、これに限定されるわけではない。
【００２０】
図１は、本発明の支持台の第１の実施の形態を示している。この支持台は、ポリビニルアルコール系フィルムを芯材Ａに巻装してなるロール体Ｒ〔図２（ａ），（ｂ）参照〕を、その芯材Ａの左右両端部で支持するものである。そのために、この支持台は、４本の支柱が仮想長方形の４隅に立設するように設けられており、これら４本の支柱１は、それらの下部において、上記仮想長方形の４辺を構成するよう連結フレーム２で連結されている。また、上記仮想長方形の短辺において隣り合う支柱１は、上記連結フレーム２よりも上方の位置で、支持フレーム３により連結されており、この支持フレーム３の中央のＵ字状部３ａに上記ロール体Ｒの芯材Ａの左右両端部を嵌合（支持固定）することにより、上記ロール体Ｒを支持することができるようになっている〔図２（ａ），（ｂ）参照〕。そして、本発明では、上記仮想長方形の短辺において隣り合う支柱１には、それぞれ連結フレーム２と支持フレーム３との間の高さ位置に、回動部１０が設けられており、その回動部１０から上方の部分１ａが、起立・内向き倒伏自在に形成されている。内向き倒伏では、上記回動部１０が頂部となる。さらに、上記仮想長方形の４隅に位置する各支柱１の下端部１ｃは、起立状態の支柱１の上方の部分１ａの頂部にも、また内向き倒伏状態で頂部となっている回動部１０にも外嵌するよう、下方が開口した平面視四角形のドーム状に形成されている。ここで、上記上方の部分１ａの頂部および内向き倒伏状態の回動部１０は、その上に積み重ねられる他の支持台の支柱１の上記下端部１ｃと嵌合して支受する支受部となる。また、支持台の幅（上記仮想長方形の短辺方向の長さ）および各支柱１の高さ寸法は、ロール体Ｒの直径よりも大きく設定されている。
【００２１】
そして、図２（ａ），（ｂ）に示すように、上記支持台によりロール体Ｒを支持した状態で保管または輸送等する場合には、支柱１の上方の部分１ａを起立状態にし、上記ロール体Ｒの芯材Ａの左右両端部を上記支持フレーム３のＵ字状部３ａに嵌合することが行われる。また、支柱１の上方の部分１ａが起立状態にある各支柱１の頂部に、他の支持台の支柱１の下端部１ｃをそれぞれ嵌合させることにより、上記支持台は、ロール体Ｒを支持した状態で、２段以上積み重ねることができる。この状態において、各支柱１の高さ寸法がロール体Ｒの直径よりも大きく設定されているため、上下のロール体Ｒは相互に接触しないようになっている。また、支持台の幅もロール体Ｒの直径よりも大きく設定されているため、上記支持台を上記仮想長方形の短辺方向に並べる場合に、隣り合う支持台の支柱１同士または上記仮想長方形の長辺を構成する連結フレーム２同士が当接するように並べても、隣り合うロール体Ｒ同士は接触しないようになっている。
【００２２】
一方、図３（ａ），（ｂ）に示すように、支持台自体を保管または輸送等する場合（支持台の非使用状態）では、支柱１の上方の部分１ａを上記仮想長方形の長辺方向内向きに倒伏させて折り畳み、支持台の高さを低くすることが行われる。また、この折り畳みにより、上記回動部１０が頂部となるため、この頂部に、その上に積み重ねられる他の支持台の支柱１の下端部１ｃを嵌合させることにより、上記支持台は、折り畳み状態で、２段以上積み重ねることができる。
【００２３】
このように、本発明の支持台は、ロール体Ｒを支持した使用状態で保管または輸送等する場合でも、また非使用状態において支持台自体を折り畳んで保管等する場合でも、それを２段以上積み重ねることができるため、保管場所等の空間を有効に利用することができ、小さい空間で、多くのロール体Ｒおよび支持台自体を保管または輸送等することができる。
【００２４】
本発明の支持台について、より詳しく説明すると、上記支柱１，連結フレーム２および支持フレーム３は、鉄製の中空角材で形成されており、支柱１と連結フレーム２との連結および支柱１と支持フレーム３との連結等は、溶接により行われている。また、必要に応じて、支持台を防錆する観点から、支持台の表面は、全面が溶融亜鉛めっき処理されていてもよい。
【００２５】
上記断面四角状の支柱１は、図４に、その要部の回動部１０について示すように、上記回動部１０から上方の部分１ａの底部が、回動部１０から下方の部分１ｂの頂部内に挿入されている。そして、回動部１０において、上方の部分１ａには、上記仮想長方形の短辺方向に面する両側面に、その両側面にまたがる突出棒の突部１１が突設され、この突部１１は、下方の部分１ｂの上端面に設けられた略Ｕ字状の切欠き部１４に遊嵌している。また、突部１１の下方（下方の部分１ｂに挿入されている部分）の両側面には、略Ｌ字状長孔１５（図５参照）が形成されている。そして、この一側面側の略Ｌ字状長孔１５に、六角頭付ボルト１６のボルト部（雄ねじ部）を挿入して他側面側の略Ｌ字状長孔（図４では見えない）に遊動自在に嵌合させ、その挿通した部分に緩み止めナット１７（図１参照）を螺合させるようになっている。この六角頭付ボルト１６は、下方の部分１ｂの一側面および他側面に設けられた貫通孔に挿通されている。
【００２６】
支柱１の下方の部分１ｂには、その内向き側面（上記仮想長方形の長辺方向の内側に面する側面）に、切欠き部１３が形成され、この切欠き部１３を利用して、上方の部分１ａが内向き（矢印Ｄ方向）に倒伏するようになっている。図４に示す状態は、支柱１の起立状態であり、上方の部分１ａの突部１１を下方の部分１ｂの上端面の切欠き部１４に遊嵌させることにより、起立状態の安定を保っている。そしてその起立状態から倒伏させる場合には、支柱１の上方の部分１ａを少し上方に持ち上げて突部１１を下方の部分１ｂの切欠き部１４から外し、図５に示すように、内向きに倒伏させる。なお、この実施の形態では、上方の部分１ａが内向き倒伏状態で水平になるよう、図１および図３（ａ）に示すように、連結フレーム２の上面に、上方の部分１ａを支受する支受棒４が立設されている。
【００２７】
上記支持フレーム３は、図１に示すように、略ひの字形状に形成されており、その中央のＵ字状部３ａに、上方から上記芯材Ａの左右両端部を嵌入できるよう、そのＵ字状部３ａの幅および深みは、上記芯材Ａの直径よりも僅かに（１０ｍｍ以下程度）大きくなっている。また、上記支持フレーム３には、上記Ｕ字状部３ａの開口を開閉自在にする棒状の開閉部材３１が設けられている。この棒状の開閉部材は、一端部が支点となって回動自在になっており、他端部がロック機構（図示せず）によりロックされるようになっている。そして、上記芯材Ａの左右両端部を支持固定する場合には、上記Ｕ字状部３ａの開口を開けた状態で、上記芯材Ａの左右両端部をＵ字状部３ａに上方から嵌入させ、その後、上記開閉部材３１でＵ字状部３ａの開口を閉じてロックする。また、上記芯材Ａの左右両端部をＵ字状部３ａから取り出す場合には、上記開閉部材３１のロックを解除して上記Ｕ字状部３ａの開口を開け、上記芯材Ａの左右両端部を取り出す。このようなＵ字状部３ａおよび開閉部材３１により、上記芯材Ａの支持固定がより安定したものとなり、ロール体Ｒのポリビニルアルコール系フィルムを確実に保護することができる。特に、上記開閉部材３１は、輸送時の縦揺れによるロール体Ｒの落下を防止することができる。
【００２８】
また、上記支持フレーム３には、ロール体Ｒを支持した際にその芯材Ａの左右両端面が当接する板状のストッパー３２が設けられており、上記Ｕ字状部３ａの下半分を覆うように設けられている。このストッパー３２は、ロール体Ｒを保管または輸送等する際に、ロール体Ｒの軸方向のずれを防止して、ロール状のポリビニルアルコール系フィルムの端面と支持フレーム３との接触を防止するとともに、上記Ｕ字状部３ａからのロール体Ｒの脱落を防止する。さらに、このストッパー３２は、左右いずれかの一端を軸として回動自在にし、他端でロック機構（図示せず）によりロックされるようになっている。これにより、ストッパー３２を開いて、芯材Ａの左右両端部をチャック等によりつかんで吊ることができ、上記芯材Ａの左右両端部のＵ字状部３ａへの嵌入およびそのＵ字状部３ａからの取り出しを容易にすることができる。このため、胴吊り（ポリビニルアルコール系フィルムの部分で支持して吊る方法）によるポリビニルアルコール系フィルムの凹み等を防止することができる。
【００２９】
また、上記支持フレーム３の下方には、支柱１の上方の部分１ａを短辺方向で連結し、支持フレーム３を補助する補助フレーム３３が設けられており、その補助フレーム３３の中央から上部補助支柱７が垂下している。また、上記仮想長方形の短辺を構成する連結フレーム２の中央には、下部補助支柱８が立設されている。そして、上記支柱１の上方の部分１ａが起立した状態では、上記上部補助支柱７と下部補助支柱８とが同軸的に位置し、上部補助支柱７の下端面と下部補助支柱８の上端面とが当接している。これにより、輸送時の縦揺れの際に支持フレーム３や支柱１が撓むのを防止することができる。
【００３０】
さらに、上記仮想長方形の長辺を構成する連結フレーム２間には、それらと平行に１本の補強フレーム２１が設けられている。この補強フレーム２１の本数は、特に限定されないが、１本以上設けられることが好ましい。また、その補強フレーム２１と長辺を構成する連結フレーム２との間にも、仮想長方形の短辺方向に沿って、補強フレーム２２が設けられている。この補強フレーム２２の本数も、特に限定されないが、センター振り分けで片側に２本以上あることが好ましい。２本以上あると、仮想長方形の短辺側から、フォークリフトの爪を入れて運搬できるようになるため、コンテナ等への搬入作業が容易になる。さらに、その補強フレーム２２の上面に、上記芯材Ａを載置する載置部材５が設けられている。この載置部材５は、図６に示すように、略Ｕ字状であってその底部が水平に形成された外板５ａと、この外板５ａの内側において底部と各側壁とに接するよう傾斜状に固定された２枚の傾斜板５ｂと、両傾斜板５ｂの上面および両傾斜板５ｂの間の底部の上面に貼着されたゴムシート５ｃとからなっている。この載置部材５は、図１に示すように、外板５ａの側壁が上記仮想長方形の短辺方向に面するように設けられ、図３（ａ），（ｂ）に示すように、上記芯材Ａが上記仮想長方形の長辺方向に沿って載置され、ゴムシート５ｃ（図６参照）で保護されるようになっている。そして、上記載置部材５を設けることにより、芯材Ａの保管等は、上記支持台自体を保管等する際に、その支持台とともに行うことができ、芯材Ａの保管等のために別の保管スペースを設ける必要がない。また、芯材Ａにポリビニルアルコール系フィルムを巻き取る場合には、芯材Ａを載置した支持台を巻き取り工程まで移動させ、その芯材Ａを支持台から取り出して巻き取り機にセットし、巻き取りが完了した後に、その巻き取り機からロール体Ｒ〔図２（ａ），（ｂ）参照〕を取り出し、そのまま、図２（ａ），（ｂ）に示すように、その支持台の支持フレーム３に支持固定し、ロール体Ｒを保管または輸送等することができる。
【００３１】
また、図１および図２（ａ），（ｂ）に示すように、支柱１の上方の部分１ａを起立状態に保持するに際し、上記仮想長方形の長辺において隣り合う支柱１の上方の部分１ａに連結棒６を架け渡すことにより、支柱１の上方の部分１ａを内向きまたは外向きに倒伏させないようにして起立状態の安定を図り、ロール体Ｒの脱落防止をより確実なものとしている。上記連結棒６は、左右両端部が下方に直角に曲がっており、その曲がった部分が挿入する筒体６１を利用して着脱自在になっている。そして、図３（ａ），（ｂ）に示すように、上方の部分１ａを倒伏させる場合は、上記連結棒６は不要になるため、保管用の筒体６２が下方の部分１ｂに設けられている。
【００３２】
このような本発明の支持台の大きさは、特に限定されないが、長尺のロール体の保管または輸送に有効にできる観点から、上記仮想長方形の長辺の長さを２〜５ｍの範囲、短辺の長さを０．５〜１．５ｍの範囲、上記支柱１の上方の部分１ａが起立した状態における支柱１の高さを０．５〜１．５ｍの範囲に設定することが好ましい。より好ましくは、上記支柱１の上方の部分１ａが倒伏した状態における支柱１の高さが上記起立状態での支柱１の高さの２／３以下に設定されていることである。
【００３３】
また、上記ロール体の寸法は、特に限定されないが、ポリビニルアルコール系フィルムを大量に保管または輸送できる観点から、また、偏光フィルムの幅広化に対応するといった観点から、ポリビニルアルコール系フィルムの幅が２ｍ以上、更には２．５ｍ以上、特には３ｍ以上であることが好ましい。ただし、５ｍを越えると長さが長くなり過ぎて取り扱い性が悪化するため、上限は５ｍにすることが好ましい。また、ポリビニルアルコール系フィルムの長さも、同様の観点およびポリビニルアルコール系フィルムの長尺化に対応するといった観点から、３０００ｍ以上、好ましくは４０００ｍ以上、特に好ましくは５０００ｍ以上にすることである。ただし、１５０００ｍを越えると外径が大きくなり過ぎて取り扱い性が悪化するため、上限は１５０００ｍにすることが好ましい。
【００３４】
図７は、本発明の支持台における支柱１の変形例を示している。この支柱１の回動部から下方の部分１ｂにおいて、上方の部分１ａの倒伏方向と反対側の部分が、倒伏方向の部分よりも高く形成されている。このように形成することにより、支柱１の上方の部分１ａが外向きに倒伏することを確実に防止することができるようになる。
【００３５】
図８（ａ），（ｂ）は、本発明の支持台の第２の実施の形態を示している。この支持台は、図８（ａ）に示すように、支柱１の上方の部分１ａを起立状態に保持するに際し、上記仮想長方形の長辺の連結フレーム２と支柱１の上方の部分１ａとが、支持棒９で支持されるようになっている。これにより、支柱１の上方の部分１ａを内向きまたは外向きに倒伏させないようにして起立状態の安定を図り、ロール体Ｒの脱落防止をより確実なものとしている。上記支持棒９は、連結フレーム２とは回動自在に取り付けられており、支柱１の上方の部分１ａとは着脱自在になっている。そして、図８（ｂ）に示すように、上方の部分１ａを倒伏させる場合は、上記支持棒９は不要になるため、連結フレーム２に設けられた保持部９１で保持される。上記支持棒９を設ける場合は、隣り合う支柱１の上方の部分１ａに架け渡す連結棒６および筒体６１，６２（図１参照）は設けなくてもよい。これ以外は、上記第１の実施の形態の支持台と同様であり、同様の部分には同じ符号を付している。
【００３６】
図９は、本発明の支持台の第３の実施の形態における支持フレーム３を示している。この支持台における支持フレーム３は、その中央のＵ字状部３ｂに、ロール体Ｒ〔図２（ａ），（ｂ）参照〕を支持した際にその芯材Ａの左右両端面が当接する馬蹄形のストッパー３４が設けられている。上記馬蹄形のストッパー３４は、上記Ｕ字状部３ｂの底部の曲線に沿った形状に形成された板状のものであり、その馬蹄形の内側の曲線部分が上記Ｕ字状部３ｂの底部から突出した状態で設けられている。そして、その突出幅は、芯材Ａの周壁の厚み以下に設定されている。これ以外は、上記第１の実施の形態の支持台と同様であり、同様の部分には同じ符号を付している〔なお、図９では、Ｕ字状部３ｂの開口を開閉自在にする開閉部材３１（図１参照）の図示を省略している〕。
【００３７】
この第３の実施の形態においても、上記馬蹄形のストッパー３４により、ロール体Ｒ〔図２（ａ），（ｂ）参照〕を保管または輸送等する際に、ロール体Ｒの軸方向のずれを防止することができる。その結果、ロール状のポリビニルアルコール系フィルムの端面と支持フレーム３との接触を防止することができるとともに、上記Ｕ字状部３ｂからのロール体Ｒの脱落を防止することができる。さらに、上記Ｕ字状部３ｂの底部からの、馬蹄形のストッパー３４の突出幅が、芯材Ａの周壁の厚み以下に設定されているため、そのまま（ストッパー３４を開閉等することなく）、芯材Ａの左右両端部をチャック等によりつかむことができる。このため、作業性がよい。
【００３８】
本発明の支持台の第４の実施の形態として、上記第３の実施の形態の支持台において、馬蹄形のストッパー３４の外側に、第１の実施の形態と同様の板状のストッパー（左右いずれかの一端を軸として回動自在にし、他端でロック機構によりロックされるようになっているストッパー）３２（図１参照）を設けると、ロール体Ｒ〔図２（ａ），（ｂ）参照〕を保管または輸送等する際に、ロール体Ｒの軸方向のずれをより確実に防止することができる。その結果、ロール状のポリビニルアルコール系フィルムの端面と支持フレーム３との接触をより確実に防止することができるとともに、上記Ｕ字状部３ｂからのロール体Ｒの脱落をより確実に防止することができる。
【００３９】
なお、上記第３および第４の実施の形態では、芯材Ａの左右両端面が当接するストッパー３４として馬蹄形のものを設けたが、その形状は、特に限定されるものではなく、直線状や半月状等のものでもよい。ただし、芯材Ａの周壁の左右両端面の形状に合う観点から、馬蹄形のものが好ましい。
【００４０】
また、上記第３および第４の実施の形態では、上記馬蹄形等のストッパー３４の、上記Ｕ字状部３ｂの底部から突出する突出幅を、芯材Ａの周壁の厚み以下に設定したが、この突出幅も、特に限定されるものではなく、芯材Ａの周壁の厚み以上でもよい。ただし、芯材Ａの左右両端部をチャック等によりつかむ作業性の観点から、上記突出幅は、芯材Ａの半径以下にすることが好ましい。
【００４１】
図１０は、本発明の支持台の第５の実施の形態を示している。この支持台は、芯材Ａ〔図３（ａ），（ｂ）参照〕を載置する載置部５１が、上記仮想長方形の短辺を構成する連結フレーム２内およびそれらの間の補強フレーム２２内に、略凹字状に形成されている。そして、その略凹字状内に、芯材Ａが位置するように形成されている。これ以外は、上記第１の実施の形態の支持台と同様であり、同様の部分には同じ符号を付している。
【００４２】
この第５の実施の形態では、図１に示す第１の実施の形態の支持台と比較すると、補強フレーム２２の上面に突出物（載置部材５）がないため、その分、ロール体Ｒ〔図３（ａ），（ｂ）参照〕を低くして支持することができる。これにより、ロール体Ｒを支持した状態の支持台の重心を低くすることができ、その支持台の揺れを低減することができる。その結果、ロール体Ｒの脱落をより確実に防止することができる。しかも、上記のようにロール体Ｒを低くして支持することにより、支持台の高さを低くすることができるため、その支持台を保管または輸送等する際に、その保管場所等の空間をより有効に利用することができる。また、芯材Ａを載置部５１に載置した状態でも、補強フレーム２２の上面からの突出量を少なくすることができるため、折り畳んだ状態の支持台の高さも低くすることができる。これにより、その折り畳んだ状態の支持台を保管または輸送等する際にも、その保管場所等の空間をより有効に利用することができる。
【００４３】
なお、さらに他の実施の形態として、上記各実施の形態における支持フレーム３は、略ひの字形状でなくてもよく、直線状であってもよい。この場合、芯材Ａの左右両端部の支持固定は、例えば、支持フレーム３の上に芯材Ａの左右両端部を載置した後、逆Ｕ字状のクランプを用いて、その逆Ｕ字状の下方開口から奥へ芯材Ａの左右両端部を嵌入し、その状態で上記クランプを支持フレーム３に固定することにより可能となる。また、芯材Ａの左右両端部の支持固定が確実であれば、芯材Ａの左右両端面に当接させるストッパー３２，３４は設けなくてもよい。さらに、芯材Ａの保管等を支持台とともに行う必要がない場合は、芯材Ａの載置部材５および載置部５１は設けなくてもよい。また、支柱１の上方の部分１ａの起立状態の保持が確実であれば、上記仮想長方形の長辺において隣り合う支柱１の上方の部分１ａ同士を連結する連結棒６は設けなくてもよい。また、上記実施の形態では、支柱１等に鉄製の中空角材を用いたが、これに限定されるものではなく、材質や材料形状等は適宜なものが選択されて用いられる。また、支持台を防錆するために溶融亜鉛めっき処理を施したが、電着亜鉛めっき処理等の他のめっき処理でもよく、めっき処理に代えて防錆塗料を塗装してもよい。
【図面の簡単な説明】
【００４４】
【図１】本発明の支持台の第１の実施の形態を示す斜視図である。
【図２】上記支持台によりロール体を保管等している状態を示しており、（ａ）はその側面図であり、（ｂ）はその正面図である。
【図３】上記支持台自体を保管等している状態を示しており、（ａ）はその側面図であり、（ｂ）はその正面図である。
【図４】上記支持台の支柱の上方の部分が起立状態にある回動部を拡大して示す斜視図である。
【図５】上記上方の部分が倒伏状態にある回動部を拡大して示す斜視図である。
【図６】上記ロール体の芯材を載置する載置部材を示す正面図である。
【図７】上記支柱の変形例を示す斜視図である。
【図８】本発明の支持台の第２の実施の形態を示す側面図であり、（ａ）は起立状態を示し、（ｂ）は倒伏状態を示している。
【図９】本発明の支持台の第３の実施の形態における支持フレームを示す斜視図である。
【図１０】本発明の支持台の第５の実施の形態を示す斜視図である。
【符号の説明】
【００４５】
１  支柱
１ａ  上方の部分
２  連結フレーム
３  支持フレーム
１０  回動部
【図１】
2006137493.tif 000003
【図２】
2006137493.tif 000004
【図３】
2006137493.tif 000005
【図４】
2006137493.tif 000006
【図５】
2006137493.tif 000007
【図６】
2006137493.tif 000008
【図７】
2006137493.tif 000009
【図８】
2006137493.tif 000010
【図９】
2006137493.tif 000011
【図１０】
2006137493.tif 000012